(57)【要約】      （修正有）【課題】良好な水はけ効果を維持するとともに、マット縁部に亀裂が生じることを防止することができ、ひいては長期に亘って滑り止め効果を奏する工事現場用マットを提供する。【解決手段】マット１は、工事現場の地面や床に敷かれる工事現場用マットであって、マット１表面に複数の線条溝２が並んで設けられ、線条溝２は、マット縁部１１で開口するように形成され、マット縁部１１にひだ４が設けられ、ひだ４は、線条溝２の並ぶ方向に延びるとともに、高さが線条溝２の底部の高さ以下に形成されている。【選択図】図１
0003193027.tif 000002
【実用新案登録請求の範囲】
【請求項１】
工事現場の地面や床に敷かれる工事現場用マットであって、
マット表面に複数の線条溝が並んで設けられ、該線条溝は、マット縁部で開口するように形成され、
マット縁部にひだが設けられ、該ひだは、前記線条溝の並ぶ方向に延びるとともに、高さが前記線条溝の底部の高さ以下に形成されていることを特徴とする工事現場用マット。
【請求項２】
前記ひだは、内側端部から外側端部に向かうに従って傾斜したテーパ状に形成されている請求項１に記載の工事現場用マット。
【請求項３】
前記ひだは、テーパ角が３５°〜３８°に形成されている請求項２に記載の工事現場用マット。
【請求項４】
前記ひだは、外側端部の高さが０．５〜１．５ｍｍに形成されている請求項１から請求項３のいずれかに記載の工事現場用マット。
【請求項５】
前記ひだは、内側端部の高さが３ｍｍ〜５ｍｍに形成されている請求項１から請求項４のいずれかに記載の工事現場用マット。
【請求項６】
前記ひだは、表面に企業ロゴが凹凸により形成されている請求項１から請求項５のいずれかに記載の工事現場用マット。
【考案の詳細な説明】
【技術分野】
【０００１】
本考案は、工事現場の地面や床に滑り止めのため敷かれる工事現場用マットに関するものである。
【背景技術】
【０００２】
従来から、工事現場では、建設資材や建設機械の間を作業員や一般歩行者、作業員の押す手押し台車等の各種車両が往来する。このような工事現場では、作業員が足を滑らし転倒すると大事故に繋がる。特に雨天時において、雨水で地面や床が滑り易くなるため、このような転倒の虞が大きかった。
【０００３】
そこで、このように作業員や一般歩行者が足を滑らし転倒することを防止するため、工事現場の地面や床には、滑り止めのためのマットが敷かれることが多い。このマットとして、特許文献１に示すものが提案されていた。このマットは、表面に複数の線条溝が並んで設けられ、前記線条溝がマット縁部で開口したゴム製のマットである。このマットは、線条溝がマット縁部で開口しているため、線条溝に溜る雨水や工事で散布される水（以下、雨水等という。）をマット縁部から外部に流出させることにより良好な水はけ効果を得ることができる。
【先行技術文献】
【特許文献】
【０００４】
【特許文献１】特開２００９−１３１３５０号公報
【考案の概要】
【考案が解決しようとする課題】
【０００５】
しかしながら、上述のようなマットは、線条溝がマット縁部で開口しているため、マット縁部が線条溝の部分において薄い状態となる。このことからマットの表面に荷重が加わると、応力が線条溝に集中することとなる。このため、繰り返し荷重が加わると、マット縁部における線条溝の部分から亀裂が生じて、そのまま線条溝に沿って裂けていき、マット全体として破損するという問題があった。
【０００６】
もとより、マット全体を厚くすることによりマット縁部に亀裂が生じることは防止できるが、それだと、マットの重量が大幅に増加するため、運搬や展開・収納が困難になるという問題があった。
【０００７】
本考案は、上述の問題に鑑みてなされたものであり、良好な水はけ効果を維持するとともに、マット縁部に亀裂が生じることを防止することができ、ひいては長期に亘って滑り止め効果を奏するゴムマットを提供することを目的とする。
【課題を解決するための手段】
【０００８】
本考案は、上記目的を達成するために、工事現場の地面や床に敷かれる工事現場用マットであって、マット表面に複数の線条溝が並んで設けられ、該線条溝は、マット縁部で開口するように形成され、マット縁部にひだが設けられ、該ひだは、前記線条溝の並ぶ方向に延びるとともに、高さが前記線条溝の底部の高さ以下に形成されていることを特徴とする。
【０００９】
これによれば、線条溝がマット縁部で開口しているため、線条溝に溜る雨水等をマット縁部から外部に流出させることができる。また、マット縁部に線条溝の並ぶ方向に延びるひだが設けられているため、マットの表面に荷重が加わると、応力がマット縁部の線条溝の部分に集中することなくマット縁部全体に分散するため、マット縁部に亀裂が生じることを防止することができる。さらにひだの高さが線条溝の底部の高さ以下に形成されているため、線条溝に溜った雨水等をマット縁部からスムーズに流出させることができ、良好な水はけ効果を発揮する。
【００１０】
また、前記ひだは、内側端部から外側端部に向かうに従って傾斜したテーパ状に形成されているのが好ましい。特にひだのテーパ角は３５°〜３８°に設けられるのが好ましい。これによれば、線条溝に溜った雨水等をマット縁部からよりスムーズに流出させることができ、一層良好な水はけ効果を発揮することが可能となる。また、地面や床とマットとの段差が小さくなるため、作業員や一般歩行者がマット縁部につまずいて、マットが捲れることを防止することができる。
【００１１】
また、前記ひだは、外側端部の高さが０．５〜１．５ｍｍに形成されているのが好ましい。これによれば、ひだは外側端部に亀裂が生じることを防止するのに十分な高さを確保することができるととともに、作業員や一般歩行者によるマットの捲れを防止することができる。
【００１２】
また、前記ひだは、内側端部の高さが３ｍｍ〜５ｍｍに設けられるのが好ましい。これによれば、ひだは、内側端部の高さが３ｍｍ以上であるため、マット縁部に十分な強度を付与することができる。また、ひだは、内側端部の高さが５ｍｍ以下であるため、マットを軽量に維持することができる。
【００１３】
また、前記ひだは、表面に企業ロゴが凹凸により形成されているのが好ましい。これによれば、作業員や一般歩行者がロゴを視認し得るため、商品の広告効果を奏することができる。
【考案の効果】
【００１４】
本考案によれば、線条溝がマット縁部で開口しているため、線条溝に溜る雨水等をマット縁部から外部に流出させることができる。また、マット縁部に線条溝の並ぶ方向に延びるひだが設けられているため、マットの表面に荷重が加わると、応力がマット縁部の線条溝の部分に集中することなくマット縁部全体に分散するため、マット縁部に亀裂が生じることを防止することができる。さらに、ひだの高さが線条溝の底部の高さ以下に形成されているため、線条溝に溜った雨水等をマット縁部からスムーズに流出させることができ、良好な水はけ効果を発揮する。しかも、マット縁部にひだを設けるだけでよいため、マットを軽量に維持でき、マットの運搬、敷設および収納に支障が生じることがない。よって、工事現場において作業員や一般歩行者が安全にマット上を通過することができるとともに、荷重が繰り返して加わってもマットが破損することを軽減することができるため、長期に亘って滑り止め効果を奏することが可能となる。
【図面の簡単な説明】
【００１５】
【図１】工事現場用マットの斜視図である。
【図２】工事現場用マットの平面図である。
【図３】工事現場用マットの正面図である。
【図４】図３の部分拡大図である。
【図５】工事現場用マットの右側面図である。
【考案を実施するための形態】
【００１６】
次に、本考案に係る工事現場用マット（以下、本マット１という）の実施形態について図１〜図５を参照しつつ説明する。なお、以下、図１のＸ軸方向を幅方向、Ｙ軸方向を奥行方向、Ｚ軸方向を高さ方向として説明する。  
【００１７】
本マット１は、工事現場の地面や床に滑り止めのため敷かれる滑り止めマットである。本マット１は、図１に示すように、幅方向の長さが１０００ｍｍ、奥行方向の長さが１００００ｍｍ、高さ方向の長さが４．５ｍｍ矩形の板状に形成されている。なお、この本マット１は、スチレンブタジエンゴムにより形成されており、焼却処理された場合であっても、ダイオキシンが生じる虞がない。
【００１８】
また、本マット１は、表面に複数の線条溝２が奥行方向に沿って平行に並んで設けられている。この線条溝２は、図４に示すように、幅方向に直線的に延びる溝であり、マット縁部１１で開口している。具体的には、線条溝２は、奥行方向の前側に位置する前面部２１と、奥行方向の後側に位置する後面部２２と、該前面部２１と後面部２２の間に位置する底面部２３とからなる断面コ字状に形成されている。このため、線条溝２に溜った雨水等は、線条溝２に沿って両側のマット縁部１１まで流れていき、そのままマット縁部１１から後述のひだ４に流出することができる。なお、本実施形態では、線条溝２は、前面部２１および後面部２２の高さが０．５ｍｍ、底面部の奥行方向の長さが２ｍｍに形成されている。
【００１９】
また、隣り合う線条溝２の間には、線条溝２の奥行方向の前側に位置する前面部２１と、線条溝の奥行方向の後側に位置する後面部２２とにより凸条３が構成される。この凸条３の断面形状がアルファベット「Ｂ」の文字の形状に類似することから、一般に「Ｂ山」と呼ばれている。このため、マット１は、この凸条３が作業員や一般歩行者の歩行方向に対して直角に延びるように敷かれると、作業員や一般歩行者の靴底を凸条３により係止し、滑り止め効果を発揮することができる。
【００２０】
なお、前記凸条３は、凸条３の幅方向の両側端部３４が内側に５度傾斜している。
【００２１】
また、本マット１は、幅方向の両側に位置するマット縁部１１にひだ４が設けられている。このひだ４は、線条溝２の並ぶ方向（本マット１の奥行方向）に延びている。具体的には、ひだ４は、マット縁部１１において奥行方向の一方端から他方端に亘って延びるように連続して設けられている。このため、マット１の表面に荷重が加わると、応力がマット縁部１１の線条溝２の部分に集中することなくマット縁部１１全体に分散するため、マット縁部１１に亀裂が生じることを防止することができる。よって、工事現場において荷重が繰り返して加わってもマット１が破損することを軽減することができる。なお、本実施形態では、ひだ４は、奥行き方向の長さが４ｍｍに形成されている。
【００２２】
また、前記ひだ４は、高さが線条溝２の底面部２３の高さ以下に形成される。本実施形態ではひだ４は、高さが線条溝２の底面部２３の高さと同一となるように形成されている。このため、線条溝２に溜った雨水等をマット縁部１１からスムーズに流出させることができ、良好な水はけ効果を発揮する。
【００２３】
また、前記ひだ４は、幅方向の外側端部４１の高さＨ１が０．５〜１．５ｍｍに形成されている。このため、ひだ４は外側端部４１に亀裂が生じることを防止するのに十分な高さを確保することができるととともに、作業員や一般歩行者によるマット１の捲れを防止することができる。
【００２４】
また、前記ひだ４は、幅方向の内側端部４２の高さＨ２が、好ましくは３ｍｍ〜５ｍｍに形成される。本実施形態では、内側端部４２の高さＨ２が４ｍｍに形成されている。これにより、ひだ４は、内側端部４２の高さＨ２が３ｍｍ以上であるため、マット１に十分な強度を付与することができる。また、ひだ４は、内側端部４２の高さＨ２が５ｍｍ以下であるため、マット１の重量を抑制することができる。
【００２５】
また、前記ひだ４は、図５に示すように、内側端部４２から外側端部４１に向かうに従って傾斜したテーパ状に形成され、そのテーパ角が好ましくは３５°〜３８°に形成される。このため、線条溝２から流出した雨水等は、マット縁部１１からひだ４のテーパ状の表面４３に沿ってスムーズに本マット１外に流出することができ、一層良好な水はけ効果を発揮することが可能となる。また、地面や床とマット１との段差が小さくなるため、作業員や一般歩行者がマット縁部１１につまずいて、マット１が捲れることを防止することができる。
【００２６】
また、前記ひだ４は、図４に示すように、表面４３に製造元や販売元等の企業ロゴ５が凹凸により形成されている。このため、作業員や一般歩行者が企業ロゴ５を視認し得るため、商品の広告効果を奏することができる。
【００２７】
次に、本マット１の使用方法について説明する。
【００２８】
まず、作業員は、本マット１を工事現場に運搬して所定の箇所に敷設する。このとき、作業員は、凸条３の延びる方向（本マット１の幅方向）が作業員や一般歩行者の歩行方向に対して直角となるようにマット１を敷設する。これにより、作業員や一般歩行者は、歩行の際に靴底が凸条３により直角に係止され、滑り止め効果を得ることができる。また、マット１は軽量に維持されているため、運搬や敷設の取扱いが容易である。
【００２９】
次に、雨が降ったり、あるいは作業員が水を撒くなどすると、本マット１の線条溝２に雨水等が溜る。この場合、マット縁部１１における線条溝２に溜った雨水等は、線条溝２に沿って両側のマット縁部１１まで流れていき、そのままマット縁部１１から高さの低いひだ４に流出したあと、ひだ４のテーパ状の表面４３に沿ってスムーズに本マット１外に流出する。而して、本マット１は、線条溝２に溜った雨水等をマット縁部１１からスムーズに流出させることができ、良好な水はけ効果を発揮する。よって、工事現場において作業員や一般歩行者が安全にマット１上を通過することができる。
【００３０】
また、マット縁部１１に線条溝２の並ぶ方向に延びるひだ４が設けられているため、マット１の表面に荷重が加わると、応力がマット縁部１１の線条溝２の部分に集中することなくマット縁部１１全体に分散するため、マット縁部１１に亀裂が生じることを防止することができ、長期に亘って滑り止め効果を奏することが可能となる。
【００３１】
使用後においては、作業員は、本マット１を奥行方向にロール状に巻いて収納する。このときも、マット１は軽量に維持されているため、収容の取扱いが容易である。
【００３２】
なお、上記実施形態では、本マット１は、スチレンブタジエンゴムにより形成したが、その他の樹脂により形成されてもよい。また、本マット１は、高さ方向に積層された複数の層で構成されていてもよい。
【００３３】
また、線条溝２は、断面コ字状に形成したが、その他の形状に形成してもよい。
【００３４】
また、線条溝２は、幅方向に直線的に伸びるとしたが、奥行き方向に波打って幅方向に伸びていてもよい。
【００３５】
また、凸条３は、断面がコの字状のいわゆるＢ山に形成したが、断面が逆Ｖ字状のいわゆるＡ山に形成してもよいし、あるいはＢ山やＡ山以外の形状に形成してもよい。
【００３６】
また、ひだ４は、内側端部４２から外側端部４１に向かうに従って傾斜したテーパ状に形成したが、ひだ４は一定の高さに形成されていてもよい。
【００３７】
また、企業ロゴ５は、凹凸により形成されているとしたが、印刷等により形成されていてもよい。
【００３８】
以上、図面を参照して本考案の実施形態を説明したが、本考案は、図示した実施形態のものに限定されない。図示された実施形態に対して、本考案と同一の範囲内において、あるいは均等の範囲内において、種々の修正や変形を加えることが可能である。
【符号の説明】
【００３９】
１… 本マット
１１…マット縁部
２…線条溝
２３…底部（底面部）
３…凸条
４…ひだ
４１…外側端部
４２…内側端部
５…企業ロゴ
【図１】
0003193027.tif 000003
【図２】
0003193027.tif 000004
【図３】
0003193027.tif 000005
【図４】
0003193027.tif 000006
【図５】
0003193027.tif 000007